【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
原稿を搬送する搬送手段と、前記搬送手段により搬送される原稿の第１面を読み取る第１の読取手段と、前記搬送手段により搬送される原稿の第２面を読み取る第２の読取手段とを備える画像読取装置において、
前記第２の読取手段で読み取った画像データを格納する格納手段と、
前記第１の読取手段で読み取った画像データ、前記格納手段に格納された前記第２の読取手段で読み取った画像データのいずれかを選択的に画像転送先へ送信する送信手段と、
前記第２の読取手段で読み取った画像データの読取元が白黒原稿かカラー原稿かを判定する判定手段と、
前記格納手段に格納された前記第２の読取手段で読み取った画像データを前記送信手段により前記画像転送先へ送信を開始する際、前記第２の読取手段で読み取った画像データの読取元が白黒原稿と前記判定手段で判定された場合は、白黒画像データを送信し、前記第２の読取手段で読み取った画像データの読取元がカラー原稿と前記判定手段で判定された場合は、カラー画像データを送信する制御手段と、
を備えることを特徴とする画像読取装置。
【請求項２】
前記制御手段は、前記格納手段に格納された前記第２の読取手段で読み取った画像データを前記送信手段により前記画像転送先へ送信を開始する際、前記第２の読取手段で読み取った画像データの読取元が白黒原稿と前記判定手段で判定された場合で、前記送信手段による白黒画像データの送信開始から送信終了までの間に、前記第２の読取手段で読み取った画像データの読取元がカラー原稿と前記判定手段で判定された場合は、送信する画像データを白黒画像データからカラー画像データに切り換えることを特徴とする請求項１記載の画像読取装置。
【請求項３】
前記第１の読取手段は、原稿搬送路に面する原稿読取位置を含む範囲を移動可能で原稿を照明すると共に原稿からの反射光を導光する光学手段と、前記光学手段により導光される反射光を光電変換する光電変換手段とから構成され、
前記第２の読取手段は、前記原稿搬送路に沿った位置に配置され、
前記第１の読取手段を構成する前記原稿読取位置にある時の前記光学手段と、前記第２の読取手段との間の距離が離間した構成を有することを特徴とする請求項１又は２記載の画像読取装置。
【請求項４】
前記第１の読取手段は、原稿搬送路に面する原稿読取位置を含む範囲を移動可能で原稿を照明すると共に原稿からの反射光を導光する光学手段と、前記光学手段により導光される反射光を光電変換する光電変換手段とから構成され、
前記第２の読取手段は、前記原稿搬送路に沿った位置に配置され、
前記第１の読取手段を構成する前記原稿読取位置にある時の前記光学手段と、前記第２の読取手段との間の距離が近い構成を有することを特徴とする請求項１又は２記載の画像読取装置。
【手続補正２】
【補正対象書類名】明細書
【補正対象項目名】発明の名称
【補正方法】変更
【補正の内容】
【発明の名称】画像読取装置
【手続補正３】
【補正対象書類名】明細書
【補正対象項目名】０００１
【補正方法】変更
【補正の内容】
【０００１】
本発明は、読取時間の短縮を図る場合に好適な画像読取装置に関する。
【手続補正４】
【補正対象書類名】明細書
【補正対象項目名】００１１
【補正方法】変更
【補正の内容】
【００１１】
本発明の目的は、利用者からの原稿読み取り指示により原稿読み取りを開始して原稿読み取りが完了までに要する時間を従来よりも更に短縮することを可能とした画像読取装置を提供することにある。
【手続補正５】
【補正対象書類名】明細書
【補正対象項目名】００１２
【補正方法】変更
【補正の内容】
【００１２】
上述の目的を達成するために、本発明の画像読取装置は、原稿を搬送する搬送手段と、前記搬送手段により搬送される原稿の第１面を読み取る第１の読取手段と、前記搬送手段により搬送される原稿の第２面を読み取る第２の読取手段とを備える画像読取装置において、前記第２の読取手段で読み取った画像データを格納する格納手段と、前記第１の読取手段で読み取った画像データ、前記格納手段に格納された前記第２の読取手段で読み取った画像データのいずれかを選択的に画像転送先へ送信する送信手段と、前記第２の読取手段で読み取った画像データの読取元が白黒原稿かカラー原稿かを判定する判定手段と、前記格納手段に格納された前記第２の読取手段で読み取った画像データを前記送信手段により前記画像転送先へ送信を開始する際、前記第２の読取手段で読み取った画像データの読取元が白黒原稿と前記判定手段で判定された場合は、白黒画像データを送信し、前記第２の読取手段で読み取った画像データの読取元がカラー原稿と前記判定手段で判定された場合は、カラー画像データを送信する制御手段と、を備えることを特徴とする。
【手続補正６】
【補正対象書類名】明細書
【補正対象項目名】００１３
【補正方法】変更
【補正の内容】
【００１３】
本発明によれば、格納手段に格納されている原稿裏面の画像データの送信開始前に、画像データの読取元が白黒原稿かカラー原稿かを判定し、白黒原稿の場合は白黒画像データを送信する。白黒画像データの転送速度はカラー画像データの転送速度より速いため、原稿裏面の画像データ送信時間を短縮することができる。これにより、利用者からの原稿読み取り指示により原稿読み取りを開始して原稿読み取りが完了までに要する時間を従来よりも更に短縮することが可能となる。
【手続補正７】
【補正対象書類名】明細書
【補正対象項目名】００１６
【補正方法】変更
【補正の内容】
【００１６】
図１において、画像読取装置は、自動原稿搬送部（ＡＤＦ：Auto Document Feeder）１００、リーダ部２００、コントローラ部（図２参照）（画像転送先）から構成されている。自動原稿搬送部１００は、給紙ローラ１、分離ローラ２、搬送ローラ対３、レジストレーションローラ４、給送ローラ５、搬送ローラ６、大ローラ７、排紙ローラ８（以上搬送手段）、原稿裏面読取部１７（第２の読取手段）を備える。リーダ部２００は、流し読みガラス２０１、プラテンガラス２０２、ＣＣＤセンサ２０８（原稿表面読取部、第１の読取手段、光電変換手段）、スキャナユニット２０９（原稿表面読取部、第１の読取手段、光学手段）を備える。
【手続補正８】
【補正対象書類名】明細書
【補正対象項目名】００１９
【補正方法】変更
【補正の内容】
【００１９】
給紙パスに送り込まれた原稿は、大ローラ７及び給送ローラ５により流し読みガラス２０１上に給送される。ここで、大ローラ７は、流し読みガラス２０１に接触する。このとき、ＣＣＤセンサ２０８により原稿の表面画像を読み取ることが可能である。大ローラ７により給送された原稿は、搬送ローラ６を通過し、ローラ１６と移動ガラス１８の間を移動して、排紙フラッパ２０及び排紙ローラ８を介して原稿排紙トレイ３１へ排出される。排紙フラッパ２０の上流側には原稿裏面読取部１７が配置されている。原稿の排出時に、原稿裏面読取部１７により原稿裏面の画像を読み取る。
【手続補正９】
【補正対象書類名】明細書
【補正対象項目名】００２７
【補正方法】変更
【補正の内容】
【００２７】
図２において、自動原稿搬送部１００は、ＣＰＵ３００、受光センサ（ＣＩＳ：Contact Image Sensor）３０８（原稿裏面読取部、第２の読取手段）、画像処理部３０９（判定手段）を備えている。リーダ部２００は、ＣＰＵ３２１、画像メモリ３２９（格納手段）、画像セレクタ３３０（送信手段）、画像処理部３２５、ＣＣＤセンサ２０８（原稿表面読取部、第１の読取手段）、コントローラＩ／Ｆ部３５３（送信手段）を備えている。コントローラ部４００は、制御回路４０１、増幅回路４０２、補正回路４０３、画像メモリ４０４を備えている。
【手続補正１０】
【補正対象書類名】明細書
【補正対象項目名】００３２
【補正方法】変更
【補正の内容】
【００３２】
画像処理部３２５は、ＣＣＤセンサ２０８に結像された原稿の反射光像が光電変換されたデジタル画像データに対し各種の画像処理を行う。画像メモリ３２９には、自動原稿搬送部１００内の画像処理部３０９で処理した画像データが画像通信ライン３５４を介して記憶される。画像セレクタ３３０は、画像処理部３２５を経由してくる原稿表面の画像データと、画像メモリ３２９に格納された原稿裏面の画像データのいずれかを選択し（選択的に）、コントローラＩ／Ｆ部３５３を介してコントローラ部４００（画像転送先）に送信する。
【手続補正１１】
【補正対象書類名】明細書
【補正対象項目名】００５０
【補正方法】変更
【補正の内容】
【００５０】
また、リーダ部２００ではＮ枚目の原稿が流し読みガラス２０１上のＲ点を通過し読み取られている間に、Ｎ枚目の原稿の後端が搬送ローラ対３を通過すると、給紙ローラ１により原稿トレイ３０上の原稿束から（Ｎ＋１）枚目の原稿の給送を開始する。リーダ部２００では（Ｎ＋１）枚目の原稿をプラテンガラス２０２上へ搬送し、画像の読み取り動作を行う。この場合、リーダ部２００では原稿をレジストローラ４に突き当てた状態でレジストローラ４の起動タイミングを制御することで、Ｒ点上で読み取り中の前原稿との間隔を適宜調整し、プラテンガラス２０２上を所定の間隔で原稿を搬送する。
【手続補正１２】
【補正対象書類名】明細書
【補正対象項目名】００５３
【補正方法】変更
【補正の内容】
【００５３】
図５ａは、原稿反転流し読みモードにおける原稿排紙直前の排紙ローラ停止時のスキャナユニットの状態を示す図である。図５ｂは、反転パスでの原稿反転時のスキャナユニットの状態を示す図である。図５ｃは、原稿裏面読み取り中のスキャナユニットの状態を示す図である。図５ｄは、原稿排紙の際の再度原稿停止時のスキャナユニットの状態を示す図である。図５ｅは、原稿表裏再反転時のスキャナユニットの状態を示す図である。図５fは、原稿反転後の原稿排紙完了時のスキャナユニットの状態を示す図である。
【手続補正１３】
【補正対象書類名】明細書
【補正対象項目名】００７８
【補正方法】変更
【補正の内容】
【００７８】
原稿の後端がスキャナユニット２０９（原稿表面読取部）を通過した時点、即ち原稿表面の画像データの転送が終了した時点で（ステップＳ１０６でＹＥＳ）、原稿裏面の画像データを転送するために次の設定を行う。リーダ部２００では画像セレクタ３３０を、画像メモリ３２９から画像セレクタ３３０に入力される画像データをコントローラＩ／Ｆ部３５３に転送するように設定する。